【事件の表示】
　特許第３２２２７１８号「化粧扉パネルの製造方法」の請求項１、２に係る特許に対する特許異議の申立てについて、次のとおり決定する。
【結　論】
　特許第３２２２７１８号の請求項１及び２に係る特許を維持する。
【理　由】
１．本件発明
　特許第３２２２７１８号に係る出願は、平成７年２月２３日の出願であって、平成１３年８月１７日に特許の設定登録がなされ、請求項１及び２に係る発明（以下、「本件発明１」及び「本件発明２」という。）は、その特許請求の範囲の請求項１及び２に記載されたとおりのものである。
　
２．申立ての理由の概要
　申立人榊原令子は、本件発明１及び２は、甲第１号証（実公昭５６−２１９４０号公報）、甲第２号証（実願昭５７−１２６８６８号（実開昭５９−３２０９７号）のマイクロフィルム）に記載された発明に甲第３号証（実公昭５１−１２０２０号公報）、甲第４号証（特開昭５４−９２８７１号公報）、甲第５号証（実願昭５７−１４６８２５号（実開昭５９−５１１８９号）のマイクロフィルム）に記載されているような周知慣用の技術を単に付加した程度にすぎず、甲第１、２号証に記載された発明及び周知慣用の技術に基いて、その出願前にその発明の属する技術の分野における通常の知識を有する者が容易に発明をすることができたものであるから、特許法第２９条第２項の規定により、特許を受けることができないと主張している。
　
３．甲各号証記載の発明
　甲第１号証には、実用新案登録請求の範囲の「２個のＶ溝を並成した構成板を該Ｖ溝で折曲げて芯材の両面に付着して框を形成し、相対向する框の内側の端面より突設された芯材の突出部の両面に、介在板を介して化粧板の端縁内面を附着して成るパネル。」、第１頁第１欄第３５行〜第２欄第２行の「図に置いて、１は裏面に２個のＶ溝１ａを並成した構成板で、それらのＶ溝１ａで囲まれる残余部１ｂに芯材２の端面を当接し、Ｖ溝１ａの両翼片の裏面を芯材２の両面に附着し、框Ａを形成している。」、同第２欄第１２〜１５行の「第４図の如く框Ａの芯材２の突出部にあらかじめ介在板４を附着しておき、その介在板４の外面に化粧板３の端縁裏面を附着してもよいのである。」の記載及び第１、４図を参照すると、「構成板の裏面に２個のＶ溝を並成し、構成板をＶ溝で折曲げて、それらのＶ溝で囲まれる残余部に芯材の端面を当接し、Ｖ溝の両翼片の裏面を芯材の両面に附着して框を形成し、相対向する框の内側の端面より突設された芯材の突出部の両面に介在板をあらかじめ附着しておき、その介在板の外面に化粧板の端縁裏面を附着して成るパネルの組立方法」という発明が記載されていると認められる。
　甲第２号証には、第５頁第１７、１８行の「パネル２は、例えば芯材２ａに表面材２ｂを固着したものであり」、第６頁第１７行〜第７頁第３行の「９は竪框用芯材７の三表面を被覆する木質板状化粧材であり、この木質板状化粧材９は木質板状基材９ｂの表面を化粧シート９ａで被覆されていて且つ裏面の少なくとも竪框用芯材７の三表面に相当する部分に設けられているＶカット部やスリット加工部などの折曲部９ｃで折曲されて竪框用芯材７の三表面に固定されるものであり」、第７頁第１２行〜第８頁第５行の「かかる構成素材より成る本考案に係る木製扉を製作するには、先ず表面を化粧シート９ａで被覆されており折曲部９ｃを有する木質板状基材９ｂから成る木質板状化粧材９をその折曲部９ｃで折曲して化粧シート９ａを竪框用芯材７の三表面を被覆するように竪框用芯材９の三表面に貼着などにより固定することによって竪框３を形成する。次いで必要に応じて上下の横框４，５も同様にして形成し、パネル２を第３図や第５図に示すように竪框用芯材７の溝７ａ内に嵌合するに際して雄部８ａと雌部８ｂとの嵌合によってパネル２と竪框用芯材７とを固定してパネル２付竪框３を製作し、このパネル２付竪框３に上下の横框４，５及び必要に応じて中桟６を固定すればよいのである。」及び第１〜３，６図の記載からみて、「先ず表面を化粧シートで被覆され裏面にＶカット部の折曲部を設けた木質板状基材からなる木質板状化粧材をその折曲部で折曲して化粧シートを竪框用芯材の三表面を被覆するように竪框用芯材の三表面に貼着などにより固定することによって竪框を形成し、次いで芯材に表面材を固着したパネルを竪框用芯材の溝内に嵌合するに際して雄部と雌部との嵌合によってパネルと竪框用芯材とを固定する木製扉の製作方法」という発明が記載されていると認められる。
　甲第３号証には、第１頁第１欄最下行〜第２欄第８行、同第２欄第２６〜２８行、同第２欄第２９行〜第２頁第３欄第５行の記載を参照すると、「余分な接着剤やシートを要さず接着作業も容易で生産コストを低減し、Ｖ字状溝を備えた平板状であるから嵩張らず運搬、梱包が容易で、コ字状断面で施工するから強度が増大することを目的として、平板状基板の表面の左、右部に、必要により施工後剥脱自在な帯状テープを接着し、帯状テープのほぼ巾中央位置に対応して基板の裏面の左、右部にＶ字状溝を切設し、基板を帯状テープで連結した主板部と左、右縁部に形成する、Ｖ溝入り建築材の製造方法」という発明が記載されていると認められる。
　甲第４号証には、第２頁右上欄第１行〜右下欄第１７行、第３頁右上欄第１０行〜左下欄第３行の記載を参照すると、「板材表面で亀裂が生じることを防止し、それをガイドとして折曲するために、板材表面にあらかじめ可撓性シートを貼着し、可撓性シートに対応して板材の裏面にＶ字状の切欠溝を並設し、この切欠溝部位において可撓性シートをガイドとして折曲して化粧板材となし、これを基板上に配設して接着し、その後可撓性シートを板材表面から取り除くことにより基板が貼着された化粧板材を形成して、つぎに、化粧板材に貼着された基板もしくは化粧板材をその周端部において、芯材の周面に表面板を貼着し、板の表面板が外表面にあらわれるように形成した枠部材に、枠部材に穿設した嵌合溝に嵌合固着等により固着する、収納具用化粧戸の製造方法」という発明が記載されていると認められる。
　甲第５号証には、第５頁第２〜１０行に「本考案の戸襖は・・、戸襖面に沿って少なくとも芯材を二分するとともに、これらの芯材を弾性粘接剤にて接着したものであるから、温度差或は芯材の膨張係数の相違によって一方の芯材が伸縮しても、その形状変化は弾性粘接剤で吸収され、他方の芯材には影響を及ぼさない。したがって、本考案によれば、芯材の反り現象、ひいては戸襖の弓状反り変形を阻止することができるものである。」という記載がある。
　
４．対比・判断
　本件発明１と甲第１号証に記載された発明とを対比すると、甲第１号証に記載された発明の「構成板と化粧板」、「構成板」、「Ｖ溝」、「残余部」、「両翼片」、「裏面側の化粧板」、「パネルの組立方法」は、それぞれ、本件発明１の「化粧材」、「側端部被覆材」、「Ｖ字状の折曲溝」、「側面化粧部」、「裏面化粧部と表面化粧部」、「裏面被覆材」、「化粧扉パネルの製造方法」に相当し、甲第１号証に記載された発明の「構成板をＶ溝で折曲げて、Ｖ溝で囲まれる残余部に芯材の端面を当接し、Ｖ溝の両翼片の裏面を芯材の両面に附着して框を形成し、相対向する框の内側の端面より突設された芯材の突出部の両面に介在板をあらかじめ附着しておき、その介在板の外面に化粧板の端縁裏面を附着して成る」と、本件発明１の「裏面被覆材と側端部被覆材の裏面化粧部を芯材の裏面に沿わせて貼着し、折曲溝で折曲して側端部被覆材の側面化粧部を芯材の側面に沿わせて貼着し、折曲溝で折曲して側端部被覆材の表面化粧部を芯材の表面側の左右両側に貼着し、しかる後、上記接着テープを剥離除去する」とは、側端部被覆材の裏面化粧部、側面化粧部、表面化粧部を折曲溝で折曲して芯材に貼着し、側端部被覆材間に位置する裏面被覆材を芯材に貼着した構成とすることで共通しているから、両者は、化粧材を裏面被覆材と側端部被覆材とで構成すると共に、側端部被覆材の内面側にＶ字状の折曲溝を穿設して裏面化粧部、側面化粧部及び表面化粧部を形成し、側端部被覆材の裏面化粧部、側面化粧部、表面化粧部を折曲溝で折曲して芯材の裏面に貼着し、側端部被覆材間に位置する裏面被覆材を芯材に貼着した構成とする化粧扉パネルの製造方法の点で一致しているが、下記の点で相違する。
ａ．本件発明１では、化粧材がシート状であるのに対し、甲第１号証に記載された発明では、そのような限定はない点。
ｂ．側端部被覆材の裏面化粧部、側面化粧部、表面化粧部を折曲溝で折曲して芯材の裏面に貼着し、側端部被覆材間に位置する裏面被覆材を芯材に貼着した構成とするのに、本件発明１では、裏面被覆材と側端部被覆材の端縁同士を外面側に配置した接着テープにて接続し、裏面被覆材と側端部被覆材の裏面化粧部を芯材の裏面に沿わせて貼着し、折曲溝で折曲して側端部被覆材の側面化粧部を芯材の側面に沿わせて貼着し、折曲溝で折曲して側端部被覆材の表面化粧部を芯材の表面側の左右両側に貼着し、しかる後、上記接着テープを剥離除去するのに対し、甲第１号証に記載された発明では、裏面側の化粧板と構成板の端縁同士は接着テープにて接続されておらず、構成板をＶ溝で折曲げて、Ｖ溝で囲まれる残余部に芯材の端面を当接し、Ｖ溝の両翼片の裏面を芯材の両面に附着して框を形成し、相対向する框の内側の端面より突設された芯材の突出部の両面に介在板をあらかじめ附着しておき、その介在板の外面に化粧板の端縁裏面を附着して成る点。　
　上記相違点ａにおいて、甲第１号証に記載された発明の構成板と化粧板をシート状とすることは、当業者が適宜なしうることにすぎない。
　また、相違点ｂを検討するため、甲第２号証をみると、甲第２号証には、先ず表面を化粧シートで被覆され裏面にＶカット部の折曲部（本件発明１の「Ｖ字状の折曲溝」に相当。）を設けた木質板状基材からなる木質板状化粧材（本件発明１の「側端部被覆材」に相当。）をその折曲部で折曲して化粧シートを竪框用芯材の三表面を被覆するように竪框用芯材の三表面に貼着などにより固定することによって竪框を形成し、次いで芯材に表面材（本件発明１の「裏面被覆材」に相当。）を固着したパネルを竪框用芯材の溝内に嵌合するに際して雄部と雌部との嵌合によってパネルと竪框用芯材とを固定する木製扉の製作方法（本件発明１の「化粧扉パネルの製造方法」に相当。）は記載されているが、相違点ｂにおける本件発明１に係る構成に関しては何ら記載されていない。さらに、甲第３乃至５号証をみても、相違点ｂにおける本件発明１に係る構成に関しては何ら記載されていない。
　そして、本件発明１は、上記相違点ｂに係る構成により、明細書記載の「化粧材を芯材の裏面及び側端部に貼着した状態で裏面を被覆する部分と側端部を被覆する部分が分断されていることにより、化粧扉パネルの上下端で裏面側に反るような力が働きにくくなり、化粧扉パネルが反るという弊害を生じないものであり、また化粧材を裏面被覆材と側端部被覆材とで形成しても接着テープにて接合してあるために１枚の化粧材として取り扱って貼着できて製造が容易にできるものであり、しかも裏面被覆材と側端部被覆材とを外面側に配置した接着テープで接着し、化粧材の貼着後に接着テープを剥離除去するので、接着テープが残らなくてて外観よくできるものである。」（段落【００１６】）という作用効果を奏するものである。
　したがって、本件発明１は、上記甲各号証に記載された発明から当業者が容易に発明をすることができたものではない。
　次に、本件発明２と甲第１号証に記載された発明とを対比すると、甲第１号証に記載された発明の「構成板と化粧板」、「構成板」、「Ｖ溝」、「残余部」、「両翼片」、「裏面側の化粧板」、「パネルの組立方法」は、それぞれ、本件発明２の「化粧材」、「側端部被覆材」、「Ｖ字状の折曲溝」、「側面化粧部」、「裏面化粧部と表面化粧部」、「裏面被覆材」、「化粧扉パネルの製造方法」に相当し、甲第１号証に記載された発明の「構成板をＶ溝で折曲げて、Ｖ溝で囲まれる残余部に芯材の端面を当接し、Ｖ溝の両翼片の裏面を芯材の両面に附着して框を形成し、相対向する框の内側の端面より突設された芯材の突出部の両面に介在板をあらかじめ附着しておき、その介在板の外面に化粧板の端縁裏面を附着して成る」と、本件発明２の「裏面被覆材と側端部被覆材の裏面化粧部を接着テープと一緒に芯材の裏面に沿わせて貼着し、折曲溝で折曲して側端部被覆材の側面化粧部を芯材の側面に沿わせて貼着し、折曲溝で折曲して側端部被覆材の表面化粧部を芯材の表面側の左右両側に貼着する」とは、側端部被覆材の裏面化粧部、側面化粧部、表面化粧部を折曲溝で折曲して芯材に貼着し、側端部被覆材間に位置する裏面被覆材を芯材に貼着した構成とすることで共通しているから、両者は、化粧材を裏面被覆材と側端部被覆材とで構成すると共に、側端部被覆材の内面側にＶ字状の折曲溝を穿設して裏面化粧部、側面化粧部及び表面化粧部を形成し、側端部被覆材の裏面化粧部、側面化粧部、表面化粧部を折曲溝で折曲して芯材の裏面に貼着し、側端部被覆材間に位置する裏面被覆材を芯材に貼着した構成とする化粧扉パネルの製造方法の点で一致しているが、下記の点で相違する。
ａ．本件発明２では、化粧材がシート状であるのに対し、甲第１号証に記載された発明では、そのような限定はない点。
ｃ．側端部被覆材の裏面化粧部、側面化粧部、表面化粧部を折曲溝で折曲して芯材の裏面に貼着し、側端部被覆材間に位置する裏面被覆材を芯材に貼着した構成とするのに、本件発明２では、裏面被覆材と側端部被覆材の端縁同士を内面側に配置した接着テープにて接続し、裏面被覆材と側端部被覆材の裏面化粧部を接着テープと一緒に芯材の裏面に沿わせて貼着し、折曲溝で折曲して側端部被覆材の側面化粧部を芯材の側面に沿わせて貼着し、折曲溝で折曲して側端部被覆材の表面化粧部を芯材の表面側の左右両側に貼着するのに対し、甲第１号証に記載された発明では、裏面側の化粧板と構成板の端縁同士は接着テープにて接続されておらず、構成板をＶ溝で折曲げて、Ｖ溝で囲まれる残余部に芯材の端面を当接し、Ｖ溝の両翼片の裏面を芯材の両面に附着して框を形成し、相対向する框の内側の端面より突設された芯材の突出部の両面に介在板をあらかじめ附着しておき、その介在板の外面に化粧板の端縁裏面を附着して成る点。　
　上記相違点ａにおいて、甲第１号証に記載された発明の構成板と化粧板をシート状とすることは、当業者が適宜なしうることにすぎない。
　また、相違点ｃを検討するため、甲第２号証をみると、甲第２号証には、先ず表面を化粧シートで被覆され裏面にＶカット部の折曲部（本件発明２の「Ｖ字状の折曲溝」に相当。）を設けた木質板状基材からなる木質板状化粧材（本件発明２の「側端部被覆材」に相当。）をその折曲部で折曲して化粧シートを竪框用芯材の三表面を被覆するように竪框用芯材の三表面に貼着などにより固定することによって竪框を形成し、次いで芯材に表面材（本件発明２の「裏面被覆材」に相当。）を固着したパネルを竪框用芯材の溝内に嵌合するに際して雄部と雌部との嵌合によってパネルと竪框用芯材とを固定する木製扉の製作方法（本件発明２の「化粧扉パネルの製造方法」に相当。）は記載されているが、相違点ｃにおける本件発明２に係る構成に関しては何ら記載されていない。さらに、甲第３乃至５号証をみても、相違点ｃにおける本件発明２に係る構成に関しては何ら記載されていない。
　そして、本件発明２は、上記相違点ｃに係る構成により、明細書記載の「化粧材を芯材の裏面及び側端部に貼着した状態で裏面を被覆する部分と側端部を被覆する部分が分断されていることにより、化粧扉パネルの上下端で裏面側に反るような力が働きにくくなり、化粧扉パネルが反るという弊害を生じないものであり、また化粧材を裏面被覆材と側端部被覆材とで形成しても接着テープにて接合してあるために１枚の化粧材として取り扱って貼着できて製造が容易にできるものであり、しかも裏面被覆材と側端部被覆材とを内面側に配置した接着テープで接着し、裏面被覆材と側端部被覆材の裏面化粧部を接着テープと一緒に芯材の裏面に沿わせて貼着しているので、接着テープを残しても接着テープを目立たないように仕舞うことができて外観を向上できるものである。」（段落【００１７】）という作用効果を奏するものである。
　したがって、本件発明２は、上記甲各号証に記載された発明から当業者が容易に発明をすることができたものではない。
　
５．むすび
　以上のとおり、特許異議申立の理由及び証拠によっては、本件発明１及び２についての特許を取り消すことはできない。
　また、他に本件発明１及び２についての特許を取り消すべき理由を発見しない。
　したがって、本件発明１及び２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年７月１１日（２００２．７．１１）